(57)【要約】【課題】複写機において厚手本の中心部、Ｒ曲面部で鮮明コピーを取ることは一般的に難しいことであった。特に公的刊行物、辞書、総合カタログ等で書類を作成する際、簡単、便利に鮮明コピーを取ることができる複写機が求められていた。【解決手段】厚手本のコピーを取る方法として、専用コピーケースを使用し、照明ユニット部の高輝度発光ランプの出力を複数段階に切り換えて、印刷面の照度を確保する。またレンズまたはイメージセンサーを位置制御することによってピント合わせを複数段階に切り換えて鮮明画像を確保する。さらに画像処理ユニット部にてデータ処理をして厚手本でも鮮明コピーを取ることができる複写機を提供する。【選択図】図９
2009251589.tif 000002
【特許請求の範囲】
【請求項１】
複写機のガラス面（コピー取得部分）の上部に専用コピーケースを配置して、その上部に厚手本を開いて乗せ、該専用コピーケースの段差を利用して、該厚手本の中心部、Ｒ曲面部を平面状態にし、カバーを適度な圧力で押し付けた状態で、該厚手本の印刷面のページ全体を、鮮明コピーを取ることを特徴とする複写機。
【請求項２】
複写機本体内部に設置した高輝度発光ランプを発光し、直接に照射する光量と反射板の反射光によって、被コピー面の印刷面に最適な光量を照射するもので、通常の平面状印刷面をコピーする場合と専用コピーケースを使用した厚手本の印刷面をコピーする場合に、該高輝度発光ランプの発光出力を複数段階に切り換えて、印刷面を、鮮明コピーを取ることを特徴とする複写機。
【請求項３】
複写機本体内部に設置したレンズまたはイメージセンサーを位置制御をすることにより、ピントを最適な状態に合わせて、印刷面データを画像処理ユニット部に送り、鮮明な画像確保するもので、通常の平面状印刷面をコピーする場合と専用コピーケースを利用した厚手本の印刷面をコピーする場合に、ピント合わせを複数段階に切り換えて、両方の印刷面を、鮮明コピーを取ることを特徴とする複写機。
【発明の詳細な説明】
【技術分野】
【０００１】  本発明は、厚手本の印刷面で鮮明コピーが取れる複写機に関する。
【背景技術】
【０００２】  私達の生活の中で、複写機は非常に便利なものであり、すでに社会生活の必需品となっている。日常生活や会社、職場において、複写機の存在は書類の作成、個人資料の保存、会議の資料作成、設計、製造資料としてカタログ部品のコピー、製作手配図面の作成、報告書類の作成、その他あらゆる分野に利用され、活用されている。本来、複写機はシート状の書類のコピーを取ることを目的にしたものであった。この中で、例えばＡ４サイズの厚手本のコピーを取る場合、中心部からのＲ曲面部、約２５ｍｍの範囲は不鮮明なコピーしか取れず、諦めざるを得なかった。ここまで便利に活用されている複写機がこのような欠点を持つことは、たいへん残念なことであり、早急に問題を解決してもらいたい事柄であった。このように厚手本の中心部からＲ曲面部の不鮮明部分を鮮明コピーが取る機能を持てば、高価な複写機がより一層、有効に活用されるものと考える。
【発明の開示】
【発明が解決しようとする課題】
【０００３】  従来、厚手本の中心部からＲ曲面部で鮮明コピーを取る機能を持つ複写機はいままで無かったのが現状である。どうしても厚手本の中心部からＲ曲面部のコピーを取りたい場合は、ハンディータイプのスキャナー等を使用すれば対応可能であるが、複写機の持つ優良なコピー品質を確保できないのが現状である。複写機にとって、厚手本の中心部からＲ曲面部を鮮明コピー取ることは、従来からの大きな課題であった。これまで、この問題を解決するために様々な取組みがなされてきたが、十分な成果が得られず、現在に至っている。本来、複写機の機能でこのような欠点を持つことは、複写機の利用範囲を制限するもので、この欠点を無くすことが多くの分野で強く求められていた。厚手本の中心部からＲ曲線部、約２５ｍｍの部分はどうしても、不鮮明なコピーとなり、満足なコピーを取ることができない状態であった。厚手本の印刷内容を完全な形でコピーできるようにすることは、たいへん重要なことであり、複写機の利用範囲を一層広げる役割を持っている。一般的に厚手本は４０〜１２０ｍｍぐらいの厚さがあり、部品カタログ、商品カタログ、辞書類、法律関係刊行物、公的刊行物、研究報告書、年鑑、新聞縮刷版、歴史本、その他数多くの種類の刊行物が出版されている。これらの厚手本をコピーするとき、中心部からのＲ曲面部はどうしても、鮮明コピーを取ることができなかった。厚手本の大きさはＡ４サイズだけではなく、Ａ５、Ａ３、Ｂ５、Ｂ４サイズ等、さらに大きいサイズのものが存在する。厚手本のコピーで不鮮明な部分が発生して困っていた問題を解決することは、複写機の利用範囲をより一層拡大するものである。
【課題を解決するための手段】
【０００４】  前述の課題は本発明の比較的簡単なシステム構成によって問題を解決し、目的を達成することができる。厚手本、鮮明コピー取得方法において、厚手本の印刷面、ページ全面、鮮明コピーを取るために、まず複写機のガラス面（コピー取得部分）の上に専用コピーケースを乗せて、その上に厚手本の印刷部分（被コピー部分）を密着させる。厚手本の中心部と専用コピーケースの角をしっかり合わせて、位置を固定する。これによって通常、鮮明コピーが取れない厚手本のＲ曲面部が専用コピーケースに沿って平面状態となる。この状態を保持して、複写機の電源がＯＮ状態でスタートボタン（操作部）を押すと、高輝度発光ランプが発光し、固定金具、遮光板、反射板、反射ミラー（１）、反射ミラー（２）、反射ミラー（３）、レンズ、イメージセンサー、画像処理ユニット部を含むユニットが移動を開始する。まず、高輝度発光ランプの光線を専用コピーケースに照射する。さらに反射板からの反射光を得て、厚手本の印刷部に最適な光量を照射する。この照射された部分の印刷面データは反射ミラー（１）に到達し、さらに反射ミラー（２）、反射ミラー（３）に反射してレンズ、イメージセンサー部に到達する。この印刷面データは画像処理ユニット部にて、通常の印刷面とほぼ同一レベルの画像処理（ピント合わせを含めた画像データ処理がなされ、最良のコピー印刷面ができるように処理する）を実施する。このように画像処理された印刷面データはコピー用紙に印刷され、鮮明なコピー印刷面が得られる。
【発明の効果】
【０００５】  複写機は厚手本の印刷面で鮮明コピーを取ることはたいへん苦手な分野であった。いままで対応が遅れた原因として、厚手本が法律関係、学術関連、医療関連等における限定された分野で使用されることが多かったことなどが上げられる。また、インターネットによる情報収集が容易になったことなども考えられる。さらに最近の厚手本は製本技術の向上により、Ｒ曲面部が１０ｍｍ以下と小さくなっており簡単に鮮明コピーが取れるようになっている。ところがいままで刊行された厚手本はＲ曲面部が大きく、約２５ｍｍ以上のものが多く存在する状況である。このため簡単で手軽に厚手本の印刷面で鮮明にコピーを取ることのできる複写機が強く望まれていた。この問題を解決するために本発明による専用コピーケースを使用し、複写機に新しい機能を追加することで対応が可能となる。
【発明を実施するための最良の形態】
【実施例】
【０００６】  以下、図面を参照して本発明を適用した複写機の実施形態を説明する。【０００７】  複写機は本来、シート状の印刷物のコピーを対象としていたが、その機能が優れているために様々なものをコピーすることができるようになってきた。さらに、白黒だけではなくカラー複写機も充実して今後益々期待される商品である。ここでは本発明の厚手本の印刷面で鮮明コピーを取得する複写機について詳しく説明する。図１は厚手本の外観図および寸法図である。図１（１）は正面図、図１（２）は（１）の右側面図、図１（３）は（１）の左側面図、図１（４）は（１）の下面図である。具体例としてＡ４サイズの厚手本で説明する。厚手本１は表表紙２と裏表紙３と背表紙４と印刷ページ５によって構成される。例えば表表紙２の横寸法２１８ｍｍ８（印刷ページ、横寸法２１０ｍｍ６）および縦寸法３０７ｍｍ９（印刷ページ、縦寸法２９７ｍｍ７）、厚みは６０ｍｍ１０（ページ数：１１００頁）となっている。図２は厚手本を開いた状態を示す図である。図２（１）は正面図、図２（２）は（１）の右側面図、図２（３）は（１）の下面図である。ここではＡ４サイズ（印刷ページ）１１の厚手本１を開いた状態を示している。この状態では中心部１２でＲ曲面部１３が発生する。【０００８】  図３は厚手本を開いてガラス面に乗せた図である。図３（１）は正面図、図３（２）は（１）の右側面図、図３（３）は（１）の下面図、図３（４）は（３）の下面図である。ここではＡ４サイズ（印刷ページ）１１の厚手本１を開いてガラス面１４に乗せた状態を示している。厚手本１において、印刷面（枠内印刷範囲）１８は中心部１２から１５ｍｍ（印刷面がない範囲）１７ぐらいに設定されているのが普通である。ここで厚手本１のＲ曲面部１３は２５ｍｍ（コピーが鮮明に取れない範囲）１６の部分で残り１８５ｍｍ（コピーが鮮明にとれる範囲）１５はガラス面１４に平面状に密着させることができるために鮮明コピーが取れる部分である。厚手本１で平面状にした２１０ｍｍ６と２９７ｍｍ７の大きさがＡ４サイズ（印刷ページ）１１となる。【０００９】次に図４は本発明の厚手本を開いて片側を専用コピーケースに乗せた図である。図４（１）は正面図、図４（２）は（１）の下面図である。ガラス面１４で厚手本１を開いて、片側を専用コピーケース１９に乗せて、その上に厚手本１の印刷部分（被コピー面）を密着させる。厚手本１の中心部１２と専用コピーケース１９の角をしっかり合わせて位置を固定する。これによって通常、鮮明コピーが取れない厚手本１のＲ曲面部１３が専用コピーケース１９に沿って平面状態となる。このため３ｍｍ（コピーが鮮明に取れない範囲）２０まで短縮でき、Ａ４サイズ（印刷ページ）１１の印刷面（枠内印刷範囲）１８のコピーを取る場合は余裕を持って対応できる。【００１０】  図５は本発明の専用コピーケースの外形図である。図５（１）は正面図、図５（２）は（１）の右側面図、図５（３）は（１）の下面図である。具体的な例としてＡ４サイズ（印刷ページ）１１の場合は、外形寸法が横２３０ｍｍ２１と縦３５０ｍｍ２２となっており、高さは３０ｍｍ２３で板厚分２４のケースサイズである。この専用コピーケース１９の材質は透明な���ラスチックまたはガラス等で製作する。ここではコピーする大きさがＡ４サイズとしているが、他の例でＡ５、Ａ３、Ｂ５、Ｂ４サイズ等の場合は専用コピーケース１９の大きさ、厚さをサイズに合わせて製作する。【００１１】  図６は本発明で使用する複写機の外観図である。図６（１）は正面図、図６（２）は（１）の平面図である。図７は図６（１）の左側面図である。複写機本体２５はガラス面（コピー取得面）２８、操作部２６、表示部２７、給紙カセット２９、コピー紙排出部３１、カバー３０等で構成される。図８は本発明の複写機で専用コピーケースを使用した状態を示す図である。図８（１）は正面図、図８（２）は（１）の平面図である。図９は図８（１）の左側面図である。図１０は図９のＡ部拡大図である。ここでは厚手本１を開いてコピーを取るために、ガラス面（コピー取得面）２８の上に専用コピーケース１９を配置し、上部からカバー３０を適度な押圧３２によって鮮明コピーを取ることができる。【００１２】  図１１は本発明の複写機の基本構成および動作のモデル図（一部断面図）、図６（２）のＡ−Ａ断面図である。図１２は図１１のＢ部拡大図である。複写機本体２５で照明ユニット部は固定金具４４、遮光板３８、反射板３９（開口部４０）、高輝度発光ランプ３７で構成される。コピーを取りたい書類、書籍など被コピー紙３３として、被コピー紙の範囲３４を示している。複写機の電源ＯＮ状態でスタートボタン（操作部２６）を押すと、被コピー紙３３の印刷面に高輝度発光ランプ３７から光線３６を発光し、ガラス面（コピー取得面）２８を通過して、光線３６を照射して照度の高い範囲３５を形成する。光線３６は別の反射板３９（開口部４０）に照射し、その光線３６が反射してガラス面（コピー取得面）２８を通過して、被コピー紙３３の印刷面に照射される。このように被コピー紙３３の印刷面に最適な光量が照射される。この印刷面に対して最適な光量を照射することは複写機本体２５にとってたいへん重要なことである。被コピー紙３３の印刷面に照射した光線３６は印刷面データ４５として、開口部４０を通過して直下の反射ミラー（１）４１に到達する。さらに印刷面データ４５は反射して反射ミラー（２）４２に到達する。さらに反射ミラー（３）４３に反射してレンズ４６、イメージセンサー４７に到達し、画像処理ユニット部４８に印刷面データ４５が入力される。画像処理ユニット部４８では印刷面データ４５のピント合わせを含めて画像の全体処理を行ない、優良なコピーを取るためにデータ処理が行なわれる。ここで高輝度発光ランプ３７、固定金具４４、遮光板３８、反射板３９（開口部４０）、反射ミラー（１）４１、反射ミラー（２）４２、反射ミラー（３）４３、レンズ４６、イメージセンサー４７、画像処理ユニット部４８で構成される部分はユニット化されており、ガラス面（コピー取得面）２８に沿って移動する可動部分である。複写機本体２５はその他の機能としてトナー焼付け、印刷部、用紙搬送部等があるが本発明の内容に関連しないので、ここでは説明を省くことにする。【００１３】  図１３は本発明における専用コピーケースを使用した複写機の基本構成および動作のモデル図（一部断面図）、図８（２）のＡ−Ａ���面図である。図１４は図１３のＢ部拡大図である。複写機本体２５で照明ユニット部は固定金具４４、遮光板３８、反射板３９（開口部４０）、高輝度発光ランプ３７で構成される。専用コピーケース１９上で、コピーを取りたい厚手本１を被コピー紙３３として被コピー紙の範囲３４を示している。複写機の電源ＯＮ状態でスタートボタン（操作部２６）を押すと、被コピー紙３３の印刷面に高輝度発光ランプ３７から光線３６を発光し、ガラス面（コピー取得面）２８を通過して、専用コピーケース１９および被コピー紙３３に照射して、照度の高い範囲３５を形成する。光線３６は別に反射板３９に照射し、その光線３６が反射してガラス面（コピー取得面）２８を通過して、専用コピーケース１９上の被コピー紙３３印刷面に照射される。このように被コピー紙３３の印刷面に最適な光量が照射される。ここで高輝度発光ランプ３７は発光出力を高出力に切り換えることができる。専用コピーケース１９を使用して厚手本１のコピーを取る場合は発光出力を高出力にして対応する。ここで、専用コピーケース１９の形状、厚さは厚手本１の大きさによって変化するため、高輝度発光ランプ３７の出力を複数段、切り換えて対応する。このように被コピー紙３３の印刷面に照射した光線３６は印刷面データ４５として、開口部４０を通過して直下の反射ミラー（１）４１に到達する。この印刷面データ４５は反射して反射ミラー（２）４２に到達する。さらに反射ミラー（３）４３に反射してレンズ４６、イメージセンサー４７に到達し、画像処理ユニット部４８に印刷面データ４５が入力される。画像処理ユニット部４８では優良なコピーを取るために、画像データの全体処理が行なわれる。ここで高輝度発光ランプ３７、固定金具４４、遮光板３８、反射板３９、反射ミラー（１）４１、反射ミラー（２）４２、反射ミラー（３）４３、レンズ４６、イメージセンサー４７、画像処理ユニット部４８で構成される部分はユニット化されており、ガラス面（コピー取得面）２８に沿って移動する可動部分である。ここで図１３においては厚手本１の形状、厚さがそれぞれに異なるために、専用コピーケース１９の厚さも変化してくる。つまり、被コピー紙３３から反射ミラー（１）４１までの距離が変化するためにレンズ４６またはイメージセンサー４７によってピント合わせが必要となる。レンズ４６またはイメージセンサー４７を位置制御して、ピント合わせを複数段、切り換えることにより鮮明コピーを取ることが可能となる。
【産業上の利用可能性】
【００１４】  複写機において、厚手本の中心部におけるＲ曲面部から鮮明コピーを取ることはいままで難しいことであった。この問題を解決するための手段として、専用コピーケースを使用し、複写機本体の内部構造においては照明ユニット部の高輝度発光ランプの発光出力を複数段、切り換える機能を持ち、反射板の形状を工夫した構造にした。さらにレンズまたはイメージセンサーの部分でピント合わせを複数段、切り換える設定とし、画像処理ユニット部でデータ処理している。これにより、厚手本のＲ曲面部を平面上にして鮮明なコピーを取ることができるようになる。このような機能を付加することにより、複写機の持つ利便性および可能性をさらに広げるもので、利用範囲をさらに拡大するものである。
【図面の簡単な説明】
【００１５】
【図１】厚手本の外観図および寸法図。
【図２】厚手本を開いた状態を示す図。
【図３】厚手本を開いてガラス面に乗せた図。
【図４】厚手本を開いて片側を専用コピーケースに乗せた図。
【図５】専用コピーケースの外形図。
【図６】複写機の外観図。
【図７】図６（１）の左側面図。
【図８】複写機で専用コピーケースを使用した状態を示す図。
【図９】図８（１）の左側面図。
【図１０】図９のＡ部拡大図。
【図１１】複写機の基本構成および動作のモデル図（一部断面図）、図６（２）のＡ−Ａ断面図。
【図１２】図１１のＢ部拡大図。
【図１３】専用コピーケースを使用した複写機の基本構成および動作のモデル図（一部断面図）、図８（２）のＡ−Ａ断面図。
【図１４】図１３のＢ部拡大図。
【符号の説明】
【００１６】１  厚手本
２  表表紙
６  ２１０ｍｍ
７  ２９７ｍｍ
１１  Ａ４サイズ（印刷ページ）
１２  中心部
１３  Ｒ曲面部
１５  １８５ｍｍ（コピーが鮮明に取れる範囲）
１６  ２５ｍｍ（コピーが鮮明に取れない範囲）
１９  専用コピーケース
２０  ３ｍｍ（コピーが鮮明に取れない範囲）
２５  複写機本体
２８  ガラス面（コピー取得面）
３０  カバー
３３  被コピー紙
３５  照度の高い範囲
３７  高輝度発光ランプ
３９  反射板
４１  反射ミラー（１）
４５  印刷面データ
４６  レンズ
４７  イメージセンサー
４８  画像処理ユニット部
【図１】
2009251589.tif 000003
【図２】
2009251589.tif 000004
【図３】
2009251589.tif 000005
【図４】
2009251589.tif 000006
【図５】
2009251589.tif 000007
【図６】
2009251589.tif 000008
【図７】
2009251589.tif 000009
【図８】
2009251589.tif 000010
【図９】
2009251589.tif 000011
【図１０】
2009251589.tif 000012
【図１１】
2009251589.tif 000013
【図１２】
2009251589.tif 000014
【図１３】
2009251589.tif 000015
【図１４】
2009251589.tif 000016